(57)【要約】      （修正有）【課題】冷陰極蛍光灯を支える基座及びこれらを覆うプラスチック製の灯殻が、熱により湾曲変形することを防止する構造を有した直管型冷陰極蛍光灯を提供する。【解決手段】灯殻１０はプラスチック料で製造され光透過性の中空管状となり、その内部の中央の両側にそれぞれストリップ状の保持槽１１が設けられており、基座２０は硬質のプラスチック料の製品であり、灯殻１０の保持槽１１に挿入する。また、複数の該冷陰極蛍光灯３０を基座２０の底部に設け、曲げ強さを向上させるために、基座２０の頂面の中央部に直立状のリブ板２１を形成する。これにより、基座２０を灯殻１０の内に置き入れた後、上記リブ板２１の頂端が灯殻１０の内面に当接して支持している形態となるので、灯殻１０の曲げ強さが格段に向上する。【選択図】図５
0003173089.tif 000002
【実用新案登録請求の範囲】
【請求項１】
中空管状であり、内部の中央の両側に、それぞれプラスチック料で製造された基座に挿入されて設置される保持槽を有する灯殻と、
該基座の底部に設けられた複数の冷陰極蛍光灯と、
該基座の頂部に設けられており、該冷陰極蛍光灯と導接された配電素子と、
該灯殻の前後の両端に套設されて固設されており、それぞれ導線により該配電素子と連結された端子を有する灯頭と、
を備えた直管型冷陰極蛍光灯の改良構成であって、
該基座の頂面の中央部に直立状のリブ板が形成されており、該基座を該灯殻の内に置き入れた後、該リブ板の頂端が灯殻の内面に当接して支持している形態となることを特徴とする直管型冷陰極蛍光灯の改良構成。
【請求項２】
中空管状であり、内部の中央の両側に、それぞれプラスチック料で製造された基座に挿入、設置される保持槽を有する灯殻と、
該基座の底部に設けられた冷陰極蛍光灯と、
該基座の頂部に設けられており、該冷陰極蛍光灯と導接された配電素子と、
該灯殻の前後の両端に套設されて固設されており、それぞれ導線により該配電素子と連結された端子を有する灯頭と、
を備えた直管型冷陰極蛍光灯の改良構成であって、
基座の底面の両側に近い位置に、それぞれ外部且つ下に斜めに向ける係止バーが設けられており、該係止バーの末端には内に向けるフック状の係止槽空間を有し、この二つの係止バーに弧状の光反射板が挿入されて設置されていることにより、実用性が向上することを特徴とする直管型冷陰極蛍光灯の改良構成。
【請求項３】
中空管状であり、内部の中央の両側に、それぞれプラスチック料で製造された基座に挿入されて設置される保持槽を有する灯殻と、
該基座の底部に設けられた冷陰極蛍光灯と、
該基座の頂部に設けられており、該冷陰極蛍光灯と導接された配電素子と、
該灯殻の前後の両端に套設されて固設されており、それぞれ導線により該配電素子と連結された端子を有する灯頭と、
を備えた直管型冷陰極蛍光灯の改良構成であって、
基座の底面の両側に近い箇所にそれぞれ支持バーが設けられており、基座の面の中心線に複数のロッキング孔が形成されており、また、シート状の光反射板が形成されており、光反射板の面であって基座の各ロッキング穴に対応する箇所に貫通孔が形成されており、また、相等数の位置決め具が設けられており、光反射板を支持バーの底部に寄せ、位置決め具に貫通孔を貫通させ、光反射板を上に押してロッキング穴に套入して固定させ、支持バーの作用により光反射板を弧状の状態にしたことを特徴とする直管型冷陰極蛍光灯の改良構成。
【考案の詳細な説明】
【技術分野】
【０００１】
本考案は照明用の灯具の改良構成に関する。特に、直管型冷陰極蛍光灯の構成について改良されたものに関する。
【背景技術】
【０００２】
一般的な灯管の使用は、灯座に合わせて使用することが必要であり、図１及び図２に示すように、灯座(２)内の両側にそれぞれ接合座(３)が設けられており、灯管(１)の両側における灯頭(５０)に端子(５１)が設けられており、使用するようとする時、灯管(１)の端子(５１)を接合座(３)に挿入して灯座(２)と接合させ、電気的連結の形態を形成し、灯管(１)に点灯させることができる。
本考案で称する直管型冷陰極蛍光灯の構成は、だいたい図３及び図４に示すように、該灯管(１)は、要は中空管状であり内部の中央の両側においてそれぞれ保持槽(１１)が設けられた灯殻(１０)と、保持槽(１１)に挿入して結合することができるプラスチック材で製造された平板状の基座(２０)と、基座(２０)の底部に設けられた複数の冷陰極蛍光灯(３０)と、基座(２０)の頂部に設けられ、冷陰極蛍光灯(３０)と導接される配電素子(４０)と、灯殻(１０)の前後両端にそれぞれと套設して固接され、端子(５１)を有する灯頭(５０)とを備えており、各端子(５１)は導線により配電素子(４０)と連結している。
【０００３】
一般的な直管型冷陰極蛍光灯は、点灯されてから熱が生じるが、灯殻(１０)が灯管(１)を密閉に覆っているので、灯管(１)が生じる熱が排出できず、絶えずに灯殻(１０)内に累積され、時間の経過に従って、必ず極めて高い温度になり、上記の灯管(１)の灯殻(１０)はガラス製品であるので、累積された高温は灯管(１)を変形させることができないが、ガラス製の灯殻(１０)の欠点はぶつかった場合、容易に破損されることにある。そして、灯殻(１０)を光透過性の優れたプラスチックで製造されれば、ぶつかった場合も容易に破損される恐れはないが、たプラスチックで製造された灯殻(１０)は、灯管(１)から長時間で累積された高温の影響を受けて容易に曲げて変形してしまう。そうすると、灯頭(５０)の端子(５１)が灯座(２)の接合座(３)への挿入、接合が容易に接触不良となり、電気接続の効果に悪い影響を与える。なお、この灯管の構成はもう一つの欠点があり、要は、冷陰極蛍光灯(３０)が配置される基座(２０)には何らの光を反射させる設備もないので、冷陰極蛍光灯(３０)が生じる輝度を有効に集めて照射することができず、照明効果が大幅に低減し、確かに好ましいものではない。上記の課題を解決するために、本考案の創作者がその改良に鋭意に努力をした。
【考案の概要】
【考案が解決しようとする課題】
【０００４】
本考案は、上記事情に鑑みてなされたものであり、要は、直管型冷陰極蛍光灯におけるプラスチック製の灯殻(１０)は、灯管から長時間で累積された高温の影響を受けて容易に曲げて変形してしまうので、灯頭の端子が灯座の接合座への挿入、接合が接触不良となり、電気接続の効果に悪い影響を与え、有効に集めて照射することができないので、照明効果が大幅に低減する欠点を解決する直管型冷陰極蛍光の提供を目的とする。
【０００５】
本考案の改良構成の技術的特徴は、基座の頂面の中央部に形成された直立状のリブ板を備えており、基座を灯殻に置き入れた後、該リブ板の頂端が灯殻の内面に当接して支持している形態となることにあり、これにより、灯管の温度が高すぎ灯殻と基座が曲げて変形しまい、灯頭の端子が灯座の接合座への挿入、接合が接触不良となり、電気接続の効果に悪い影響を与えることを防止する。
【０００６】
本考案の他の技術的特徴は、基座の底面の両側に近い位置に、それぞれ外部且つ下に向け、末端には内に向けるフック状の係止バーが形成されており、この二つの係止バーに一つの弧状の光反射板が挿入されて設置されており、これにより、実用性を向上させる。
【図面の簡単な説明】
【０００７】
【図１】本考案の灯管と灯座の配置形態を模式的に示す図である。
【図２】本考案の灯管と灯座の配置形態を模式的に示す図である。
【図３】一般的な直管型冷陰極蛍光灯の構成を模式的に示す図である。
【図４】一般的な直管型冷陰極蛍光灯の構成を模式的に示す図である。
【図５】本考案の直管型冷陰極蛍光灯の構成を模式的に示す図である。
【図６】本考案の直管型冷陰極蛍光灯の構成を模式的に示す図である。
【図７】本考案の実施例の構成を模式的に示す図である。
【図８】本考案の実施例の構成を模式的に示す図である。
【図９】本考案の他の実施例の構成を模式的に示す図である。
【図１０】本考案の他の実施例の構成を模式的に示す図である。
【考案を実施するための形態】
【０００８】
以下、図面を参照しながら本考案を詳しく説明する。図５及び図６に示すように、本考案の直管型冷陰極蛍光灯の改良構成における灯管(１)の構成は、要は、灯殻(１０)と、基座(２０)と、冷陰極蛍光灯(３０)と、配電素子(４０)と、及び灯頭(５０)などの部材からなった。該灯殻(１０)はプラスチック料で製造され光透過性の極めて良好な中空管状となり、その内部の中央の両側にそれぞれストリップ状の保持槽(１１)が設けられており、該基座(２０)は硬質のプラスチック料の製品であり、灯殻(１０)の保持槽(１１)に挿入されて設置されており、複数の該冷陰極蛍光灯(３０)が基座(２０)の底部に設けられており、該配電素子(４０)が基座(２０)の頂部に設けられ冷陰極蛍光灯(３０)と導接されており、該灯頭(５０)が、灯殻(１０)の前後両端に套設されて固接され、端子(５１)を有し、導線により配電素子(４０)と連結されている。
【０００９】
本考案の改良構成の技術的特徴は、曲げ強さを向上させるために、基座(２０)の頂面の中央部に直立状のリブ板(２１)が形成されており、基座(２０)を灯殻(１０)の内に置き入れた後、該頂端が灯殻(１０)の内面に当接して支持している形態となるので、灯殻(１０)の曲げ強さを一層向上させることにある。これにより、灯管(１)を長時間で使用すると過熱され、灯殻(１０)と基座(２０)が曲げて変形してしまい、灯頭(５０)の端子(５１)が灯座(２)の接合座(３)への挿入及び接合が容易に接触不良となり、電気接続の効果に悪い影響を与えることを防止する。
【００１０】
なお、図６に示すように、本考案のもう一つの技術的特徴は、リブ板(２１)の底部に近い位置に、それぞれ電線を収納する位置決めバー(２１１)が設けられており、基座(２０)の底面の両側に近い箇所に、それぞれフック状の係止バー(２０１)が設けられたので、この二つの係止バー(２０１)に弧状の光反射板が挿入されて設置されることができることにある。この構成によれば、実用性を向上させる。
【００１１】
図７及び図８は本考案の直管型冷陰極蛍光灯の構成の灯管(１)のもう一つの実施形態であり、要は、灯殻(１０)と、基座(２０)と、冷陰極蛍光灯(３０)と、配電素子(４０)と、及び灯頭(５０)などの部材からなった。該灯殻(１０)はプラスチック料で製造され光透過性の極めて良好な中空管状となり、その内部の中央の両側にそれぞれストリップ状の保持槽(１１)が設けられており、該基座(２０)は硬質のプラスチック料の製品であり、灯殻(１０)の保持槽(１１)に挿入されて設置されており、該冷陰極蛍光灯(３０)が基座(２０)の底部に設けられており、該配電素子(４０)が基座(２０)の頂部に設けられ、冷陰極蛍光灯(３０)と導接されており、該灯頭(５０)が、灯殻(１０)の前後両端に套設されて固接されており、且つ、端子(５１)を有し、導線により配電素子(４０)と連結されている。
【００１２】
本考案の改良構成の技術的特徴は、基座の底面の両側に近い位置に、それぞれ外部且つ下に斜めに向ける係止バー(２２)が設けられており、該係止バー(２２)の末端は内に向けるフック状となり係止槽空間(２２１)が形成されており、この二つの係止バー(２２)の係止空間(２２１)に、上に向ける弧状の光反射板(２３)が挿入されて設置されており、光反射板(２３)により、冷陰極蛍光灯(３０)の背面が生ずる光を下に反射させ、冷陰極蛍光灯全体が生じる輝度を有効に集めて下へ照射させ、照明の効能を大幅に向上させる。これにより、実用性が向上する。
【００１３】
図９及び図１０は本考案の直管型冷陰極蛍光灯の構成の灯管(１)のさらに他の実施形態であり、要は、灯殻(１０)と、基座(２０)と、冷陰極蛍光灯(３０)と、配電素子(４０)と、及び灯頭(５０)などの部材からなった。該灯殻(１０)はプラスチック料で製造され光透過性の極めて良好な中空管状となり、その内部の中央の両側にそれぞれストリップ状の保持槽(１１)が設けられており、該基座(２０)は硬質のプラスチック料の製品であり、灯殻(１０)の保持槽(１１)に挿入されて設置されており、該冷陰極蛍光灯(３０)が基座(２０)の底部に設けられており、該配電素子(４０)が基座(２０)の頂部に設けられ冷陰極蛍光灯(３０)と導接されており、該灯頭(５０)が灯殻(１０)の前後両端に套設されて固接され、且つ、端子(５１)を有し、導線により配電素子(４０)と連結されている。その技術的特徴は、基座(２０)の底面の両側に近い箇所にそれぞれ支持バー(２０１)が設けられており、基座(２０)の面の中心線に複数のロッキング孔(２０２)が形成されており、また、シート状の光反射板(２３)が形成されており、光反射板(２３)の面であって基座(２０)の各ロッキング穴(２０２)に対応する箇所に貫通孔(２３１)が形成されており、また、相等数の位置決め具(２４)が設けられており、光反射板(２３)を支持バー(２０１)の底部に寄せ、位置決め具(２４)に貫通孔(２３１)を貫通させ、光反射板(２３)を上に押してロッキング穴(２０２)に套入させて固定させ、支持バー(２０１)の作用により光反射板(２３)を弧状の状態にしたことにより、冷陰極蛍光灯(３０)の背面が生ずる光を下に反射させ、冷陰極蛍光灯全体が生じる輝度を有効に集めて下へ照射させ、照明の効能を大幅に向上させることができる。この構成により、実用性が向上する。
【符号の説明】
【００１４】
１    灯管
２    灯座
３    接合座
１０  灯殻
１１  保持槽
２０  基座
２１  リブ板
２２  係止バー
２３  光反射板
２４  位置決め具
３０  冷陰極蛍光灯
４０  配電素子
５０  灯頭
５１  端子
２０１  係止バー
２０１  支持バー
２１１  位置決めバー
２０２  ロッキング孔
２２１  係止槽空間
２３１  貫通孔
【図１】
0003173089.tif 000003
【図２】
0003173089.tif 000004
【図３】
0003173089.tif 000005
【図４】
0003173089.tif 000006
【図５】
0003173089.tif 000007
【図６】
0003173089.tif 000008
【図７】
0003173089.tif 000009
【図８】
0003173089.tif 000010
【図９】
0003173089.tif 000011
【図１０】
0003173089.tif 000012
【手続補正書】
【提出日】平成23年11月16日(2011.11.16)
【手続補正１】
【補正対象書類名】実用新案登録請求の範囲
【補正対象項目名】全文
【補正方法】変更
【補正の内容】
【実用新案登録請求の範囲】
【請求項１】
中空管状であり、内部の中央の両側に、それぞれプラスチック料で製造された基座に挿入されて設置される保持槽を有する灯殻と、
該基座の底部に設けられた複数の冷陰極蛍光灯と、
該基座の頂部に設けられており、該冷陰極蛍光灯と導接された配電素子と、
該灯殻の前後の両端に套設されて固設されており、それぞれ導線により該配電素子と連結された端子を有する灯頭と、
を備えた直管型冷陰極蛍光灯であって、
該基座の頂面の中央部に直立状のリブ板が形成されており、該基座を該灯殻の内に置き入れた後、該リブ板の頂端が灯殻の内面に当接して支持している形態となることを特徴とする直管型冷陰極蛍光灯。
【請求項２】
基座の底面の両側に近い位置に、それぞれ外部且つ下に斜めに向ける係止バーが設けられており、該係止バーの末端には内に向けるフック状の係止槽空間を有し、この二つの係止バーに弧状の光反射板が挿入されて設置されていることにより、実用性が向上することを特徴とする請求項１に記載の直管型冷陰極蛍光灯。
【請求項３】
基座の底面の両側に近い箇所にそれぞれ支持バーが設けられており、基座の面の中心線に複数のロッキング孔が形成されており、また、シート状の光反射板が形成されており、光反射板の面であって基座の各ロッキング穴に対応する箇所に貫通孔が形成されており、また、相等数の位置決め具が設けられており、光反射板を支持バーの底部に寄せ、位置決め具に貫通孔を貫通させ、光反射板を上に押してロッキング穴に套入して固定させ、支持バーの作用により光反射板を弧状の状態にしたことを特徴とする請求項１に記載の直管型冷陰極蛍光灯。